(57)【要約】【課題】使用者の手に塵埃が付着することを防止できる電気掃除機を提供する。【解決手段】電気掃除機は、吸引風を発生させる電動送風機と、前記電動送風機を内蔵した本体と、前記本体に着脱自在に設けられた集塵器と、を備え、前記集塵器は、当該集塵器内に着脱自在に設けられた風路形成部品と、前記風路形成部品が当該集塵器内に取り付けられた際に当該集塵器との隙間を埋めるように前記風路形成部品に取り付けられたシール体と、前記風路形成部品が当該集塵器に取り付けられた際に前記風路形成部品よりも外側に配置されるように前記シール部の外側に形成されたつまみ部と、備えた。【選択図】図７
2014079505.tif 000002
【特許請求の範囲】
【請求項１】
吸引風を発生させる電動送風機と、
前記電動送風機を内蔵した本体と、
前記本体に着脱自在に設けられた集塵器と、
を備え、
前記集塵器は、
当該集塵器内に着脱自在に設けられた風路形成部品と、
前記風路形成部品が当該集塵器内に取り付けられた際に当該集塵器との隙間を埋めるように前記風路形成部品に取り付けられたシール体と、
前記風路形成部品が当該集塵器に取り付けられた際に前記風路形成部品よりも外側に配置されるように前記シール部の外側に形成されたつまみ部と、
を備えた電気掃除機。
【請求項２】
前記つまみ部は、帯電しない材料で形成された請求項１に記載の電気掃除機。
【請求項３】
前記つまみ部は、前記風路形成部品よりも摩擦抵抗の大きい材料で形成された請求項１又は請求項２に記載の電気掃除機。
【請求項４】
前記つまみ部は、前記集塵室が前記本体に取り付けられた際に見えない位置に配置されるように形成された請求項１〜請求項３のいずれか一項に記載の電気掃除機。
【請求項５】
前記集塵器は、
前記電動送風機が発生させた吸引風が流入して旋回するように形成されたインレットと、
前記インレットで旋回した吸引風から分離した塵埃を集めるように前記インレットの外周を囲んだカップと、
前記風路形成部品として、前記電動送風機が発生させた吸引風が前記インレットを旋回した後に前記インレットの中心軸に沿って流出するように前記インレットに着脱自在に形成されたメッシュと、
前記メッシュと前記シール体と前記つまみ部とを前記インレットとは反対側から覆ったアウトレットと、
を備えた請求項４に記載の電気掃除機。
【請求項６】
前記集塵器に設けられ、前記風路形成部品が前記集塵器内に取り付けられた際に前記つまみ部の案内となる案内部、
を備えた請求項１〜請求項５のいずれか一項に記載の電気掃除機。
【発明の詳細な説明】
【技術分野】
【０００１】
この発明は、電気掃除機に関するものである。
【背景技術】
【０００２】
サイクロン式の電気掃除機の集塵器内には、風路形成部品が設けられる。当該風路形成部品により、適切な風路を形成することができる（例えば、特許文献１参照）。
【先行技術文献】
【特許文献】
【０００３】
【特許文献１】特開２００９−２７９２８４号公報
【発明の概要】
【発明が解決しようとする課題】
【０００４】
しかしながら、当該風路形成部品には、塵埃が付着する。このため、使用者が集塵器から風路形成部品を取り出す際、使用者の手に塵埃が付着する。
【０００５】
この発明は、上述の課題を解決するためになされたもので、使用者の手に塵埃が付着することを防止できる電気掃除機を提供することである。
【課題を解決するための手段】
【０００６】
この発明に係る電気掃除機は、吸引風を発生させる電動送風機と、前記電動送風機を内蔵した本体と、前記本体に着脱自在に設けられた集塵器と、を備え、前記集塵器は、当該集塵器内に着脱自在に設けられた風路形成部品と、前記風路形成部品が当該集塵器内に取り付けられた際に当該集塵器との隙間を埋めるように前記風路形成部品に取り付けられたシール体と、前記風路形成部品が当該集塵器に取り付けられた際に前記風路形成部品よりも外側に配置されるように前記シール部の外側に形成されたつまみ部と、を備えたものである。
【発明の効果】
【０００７】
この発明によれば、使用者の手に塵埃が付着することを防止できる。
【図面の簡単な説明】
【０００８】
【図１】この発明の実施の形態１における電気掃除機の斜視図である。
【図２】この発明の実施の形態１における電気掃除機の本体と集塵器との平面図である。
【図３】この発明の実施の形態１における電気掃除機の本体と集塵器との側面図である。
【図４】この発明の実施の形態１における電気掃除機の本体と集塵器の縦断面図である。
【図５】この発明の実施の形態１における電気掃除機の集塵器の分解斜視図である。
【図６】この発明の実施の形態１における電気掃除機の集塵器の分解斜視図である。
【図７】この発明の実施の形態１における電気掃除機の集塵器からアウトレットを取り外した状態の平面図である。
【図８】この発明の実施の形態１における電気掃除機の集塵器の斜視図である。
【図９】この発明の実施の形態１における電気掃除機の集塵器の平面図である。
【図１０】この発明の実施の形態１における電気掃除機の本体と集塵器の縦断面図である。
【図１１】この発明の実施の形態１における電気掃除機の集塵器の横断面図である。
【図１２】この発明の実施の形態２における電気掃除機の集塵器からアウトレットを取り外した状態の平面図である。
【図１３】この発明の実施の形態３における電気掃除機の集塵器からアウトレットを取り外した状態の平面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電気掃除機の斜視図である。
【００１１】
図１に示すように、電気掃除機１は、電気掃除機本体２を備える。電気掃除機本体２の両側には、車輪３が設けられる。電気掃除機本体２の内部には、コードリール部（図示せず）が設けられる。コードリール部には、電源コード４が巻き回される。電気掃除機本体２の上部には、集塵器５が着脱自在に取り付けられる。集塵器５は、地面に対して所定の角度を有するように配置される。
【００１２】
電気掃除機本体２の前部には、ホース差込口６が設けられる。ホース差込口６には、ホース７の一端が着脱自在に接続される。ホース７は、可撓性を有するように蛇腹状に形成される。ホース７の他端には、接続パイプ８の一端が接続される。接続パイプ８には、手元操作部９が設けられる。手元操作部９には、操作スイッチ１０が設けられる。手元操作部９の他端には、延長管１１の一端が接続される。延長管１１は、真直ぐの円筒状に形成される。延長管１１の他端には、吸引具１２の長手方向中央が接続される。
【００１３】
次に、図２〜図４を用いて、電気掃除機本体２を説明する。
図２はこの発明の実施の形態１における電気掃除機の本体と集塵器との平面図である。図３はこの発明の実施の形態１における電気掃除機の本体と集塵器との側面図である。図４はこの発明の実施の形態１における電気掃除機の本体と集塵器の縦断面図である。
【００１４】
図２と図３とに示すように、電気掃除機本体２は、下ケース１３、上ケース１４、中ケース１５、ハンドル１６を備える。
【００１５】
下ケース１３は、電気掃除機本体２の下部を形成する。下ケース１３の後部には、凸部１３ａが形成される。凸部１３ａは、下ケース１３の後部から後方に突き出す。上ケース１４は、電気掃除機本体２の上部を形成する。上ケース１４の後部には、凸部１４ａが形成される。凸部１４ａは、上ケース１４の後部から後方に突き出す。中ケース１５は、下ケース１３と上ケース１４との間に配置される。ハンドル１６は、下ケース１３の両側にまたがるように配置される。ハンドル１６は、集塵器５を避けるように屈曲して形成される。
【００１６】
図４に示すように、電気掃除機本体２内の下部には、電動送風機１７が設けられる。電動送風機１７よりも前方には、吸入風路（図示せず）が形成される。吸入風路よりも後方には、排気風路（図示せず）が形成される。
【００１７】
次に、図５〜図９を用いて、集塵器５を説明する。
【００１８】
図５はこの発明の実施の形態１における電気掃除機の集塵器の分解斜視図である。図６はこの発明の実施の形態１における電気掃除機の集塵器の分解斜視図である。図７はこの発明の実施の形態１における電気掃除機の集塵器からアウトレットを取り外した状態の平面図である。図８はこの発明の実施の形態１における電気掃除機の集塵器の斜視図である。図９はこの発明の実施の形態１における電気掃除機の集塵器の平面図である。
【００１９】
図５に示すように、集塵器５は、インレット１８、メッシュ１９、シール体２０、カップ２１、アウトレット２２を備える。
【００２０】
インレット１８の外周には、フランジが形成される。フランジは、略楕円状に形成される。メッシュ１９は、風路形成部品として、インレット１８の後部に着脱自在に形成される。シール体２０は、メッシュ１９の外周に取り付けられる。シール体２０は、帯電しない軟質材で形成される。すなわち、シール体２０は、メッシュ１９よりも摩擦抵抗の大きい材料で形成される。カップ２１は、インレット１８の前部に着脱自在に形成される。カップ２１の外形は、インレット１８への着脱方向から見た際に略楕円状に形成される。アウトレット２２は、インレット１８の後部に着脱自在に形成される。
【００２１】
図６に示すように、旋回室２３の中心軸の方向の一方から見た際、インレット１８の後部の一側には、吸気口１８ａが形成される。旋回室２３の中心軸の方向の一方から見た際、アウトレット２２の後部の中央には、排気口２２ａが形成される。
【００２２】
図７に示すように、旋回室２３の中心軸の方向の一方から見た際、シール体２０の一側には、つまみ部２０ａが一体形成される。つまみ部２０ａは、シール体２０の外側へ突き出すように形成される。その結果、つまみ部２０ａは、メッシュ１９よりも外側に配置される。
【００２３】
図８と図９とに示すように、アウトレット２２がインレット１８の後部に取り付けられた際、メッシュ１９とシール体２０とつまみ部２０ａは、インレット１８とは反対側から覆われる。この際、メッシュ１９とアウトレット２２との間の隙間は、シール体２０により埋められる。
【００２４】
次に、図４を用いて、インレット１８、メッシュ１９、カップ２１、アウトレット２２の各部を説明する。
【００２５】
図４に示すように、インレット１８は、旋回室２３を備える。旋回室２３は、略一定の曲率となるように形成される。旋回室２３の中心軸の方向の一端壁は、メッシュ１９の底面の一部で形成される。
【００２６】
旋回室２３の上部は、円筒部２３ａからなる。旋回室２３の下部は、円錐部２３ｂからなる。円筒部２３ａの外周面の上側には、１次開口部２４が形成される。円錐部２３ｂの下端には、２次開口部２５が形成される。２次開口部２５の下方には、２次集塵室２６が形成される。２次集塵室２６は、旋回室２３と一体形成される。２次集塵室２６の外周は、隔壁２７で形成される。
【００２７】
図４に示すように、メッシュ１９の中央には、排出口２８が形成される。排出口２８の側面には、複数の孔が形成される。排出口２８は、排気口２２ａに接続される。
【００２８】
図４に示すように、カップ２１は、旋回室２３の外周の全てを囲む。その結果、旋回室２３の外側には、１次集塵室２９が形成される。１次集塵室２９は、隔壁２７によって２次集塵室２６と区画される。
【００２９】
次に、図１と図４とを用いて、電気掃除機１の動作を説明する。
【００３０】
図１において、まず、電源コード４が外部電源に接続される。当該接続により、電気掃除機１が通電状態となる。当該状態において、操作スイッチ１０の操作により電気掃除機１の運転が制御される。
【００３１】
この際、電動送風機１７（図１においては図示せず）が駆動されると、吸引風が発生する。当該吸引風により、床面上のごみと含塵空気とが吸引具１２から吸引される。当該含塵空気は、延長管１１、接続パイプ８、ホース７を介して、電気掃除機本体２内に流入する。すなわち、吸引具１２、延長管１１、接続パイプ８、ホース７は、含塵空気を電気掃除機本体２の外部から内部に流入させるための吸引経路の一部として機能する。
【００３２】
その後、図４に示すように、含塵空気は、吸入風路を経由して集塵器５に移動する。その後、含塵空気は、旋回室２３内で旋回気流となる。
【００３３】
この際、大きな繊維ごみ、毛髪等、比較的嵩の大きなごみ（ごみＡ）は、旋回室２３の内側壁に押し付けられる。このため、当該ごみＡは、１次開口部２４で旋回気流から分離される。すなわち、当該ごみＡは、１次開口部２４を介して１次集塵室２９内に移動する。
【００３４】
これに対し、１次集塵室２９内に流入しなかったごみは、旋回室２３を下降する旋回気流に乗って旋回室２３の下方に移動する。当該移動により、砂ごみや細かな繊維ごみ等の比較的嵩の小さなごみ（ごみＢ）は、２次開口部２５を通過する。その後、当該ごみＢは、２次集塵室２６内に捕捉される。
【００３５】
その後、当該気流は、旋回室２３の中心軸に沿って上昇する。その後、当該気流は、排気風路側へ移動する。その後、当該気流は、電動送風機１７に吸引される。その後、当該気流は、電動送風機１７に排出される。その後、当該空気は、電気掃除機本体２から排出される。
【００３６】
なお、集塵器５に蓄積したごみは、集塵器５からカップ２１を取り外すことで、容易に捨てられる。
【００３７】
次に、図１０と図１１とを用いて、電気掃除機１の収納状態を説明する。
図１０はこの発明の実施の形態１における電気掃除機の本体と集塵器の縦断面図である。図１１はこの発明の実施の形態１における電気掃除機の集塵器の横断面図である。
【００３８】
図１０に示すように、電気掃除機１を収納する際、電気掃除機本体２は、凸部１３ａ、１４ａを下方にして配置される。その結果、吸気口１８ａ（図１０においては図示せず）は、集塵器５の下方に配置される。
【００３９】
この際、図１１に示すように、旋回室２３内において、吸気口１８ａは、旋回室２３の接線方向に旋回室２３の一側に接続される。その結果、旋回室２３内において、吸気口１８ａの下縁部よりも下方には、滞留部２３ｃが確保される。このため、旋回室２３に残っていた塵埃は、滞留部２３ｃに滞留する。
【００４０】
以上で説明した実施の形態１によれば、電気掃除機本体２が収納時の配置となったとき、旋回室２３内において、滞留部２３ｃが確保される。このため、旋回室２３に残っていた塵埃が収納時に吸気口１８ａへ逆流することを防止できる。
【００４１】
また、１次開口部２４は、旋回室２３の外周面の上側に形成される。このため、１次集塵室２９内の塵埃が収納時に１次開口部２４を介して旋回室２３に逆流することを防止できる。
【００４２】
なお、旋回室２３の中心軸の方向の一方から見た際に旋回室２３の上側かつ他側に１次開口部２４を形成してもよい。この場合、万が一、１次集塵室２９内の塵埃が収納時に１次開口部２４を介して旋回室に逆流しても、当該塵埃が吸気口１８ａに移動することを防止できる。
【００４３】
また、排出口２８の側面の孔を滞留部２３ｃとの対向部以外に形成してもよい。この場合、電気掃除機本体２を収納時の配置にした状態で電動送風機１７を動作させても、滞留部２３ｃに滞留した塵埃が排出口２８から流出することを防止できる。
【００４４】
また、使用者は、集塵器５からメッシュ１９を取り外す際にシール体２０のつまみ部２０ａを把持すればよい。すなわち、使用者は、メッシュ１９を直接把持する必要がない。このため、使用者の手に塵埃が付着することを防止できる。
【００４５】
また、つまみ部２０ａは、帯電しない材料で形成される。このため、使用者とつまみ部２０ａとの間での放電を防止することができる。
【００４６】
また、つまみ部２０ａは、メッシュ１９よりも摩擦抵抗の大きい材料で形成される。このため、つまみ部２０ａは、メッシュ１９を取り外す際の滑り止めとしても機能する。
【００４７】
また、つまみ部２０ａは、アウトレット２２により見えない位置に配置される。このため、電気掃除機１の外観を損なうことがない。
【００４８】
なお、メッシュ１９以外の風路形成部品に対して、つまみ部を有するシール体を取り付けてもよい。この場合、当該風路形成部品を取り外す際、使用者の手に塵埃が付着することを防止できる。
【００４９】
実施の形態２．
図１２はこの発明の実施の形態２における電気掃除機の集塵器からアウトレットを取り外した状態の平面図である。なお、実施の形態１と同一又は相当部分には同一符号を付して説明を省略する。
【００５０】
実施の形態２のインレット１８は、実施の形態１のインレット１８にリブ３０を付加したものである。リブ３０は、案内部として、つまみ部２０ａの両側に配置される。
【００５１】
実施の形態２においては、メッシュ１９をインレット１８に取り付ける際、リブ３０の双方の内側につまみ部２０ａを配置させればよい。
【００５２】
以上で説明した実施の形態２によれば、リブ３０がつまみ部２０ａの案内となる。このため、メッシュ１９をインレット１８に容易に取り付けることができる。
【００５３】
実施の形態３．
図１３はこの発明の実施の形態３における電気掃除機の集塵器からアウトレットを取り外した状態の平面図である。なお、実施の形態２と同一又は相当部分には同一符号を付して説明を省略する。
【００５４】
実施の形態３のリブ３０は、実施の形態２のリブ３０に矢印３１ａを付加したものである。実施の形態３のシール体２０は、実施の形態１のシール体２０に矢印３１ｂを付加したものである。
【００５５】
実施の形態３においては、メッシュ１９をインレット１８に取り付ける際、リブ３０の矢印３１ａ先端とつまみ部２０ａの矢印３１ｂ先端とを対向させればよい。
【００５６】
以上で説明した実施の形態２によれば、リブ３０の矢印３１ａ先端とつまみ部２０ａの矢印３１ｂ先端とが案内となる。このため、メッシュ１９をインレット１８により容易に取り付けることができる。
【符号の説明】
【００５７】
１  電気掃除機、  ２  電気掃除機本体、  ３  車輪、  ４  電源コード、
５  集塵器、  ６  ホース差込口、  ７  ホース、  ８  接続パイプ、
９  手元操作部、  １０  操作スイッチ、  １１  延長管、  １２  吸引具、
１３  下ケース、  １３ａ  凸部、  １４  上ケース、  １４ａ  凸部、
１５  中ケース、  １６  ハンドル、  １７  電動送風機、  １８  インレット、
１８ａ  吸気口、  １９  メッシュ、  ２０  シール体、  ２０ａ  つまみ部、
２１  カップ、  ２２  アウトレット、  ２２ａ  排気口、  ２３  旋回室、
２３ａ  円筒部、  ２３ｂ  円錐部、  ２３ｃ  滞留部、  ２４  １次開口部、
２５  ２次開口部、  ２６  ２次集塵室、  ２７  隔壁、  ２８  排出口、
２９  １次集塵室、  ３０  リブ、  ３１ａ、３１ｂ  矢印
【図１】
2014079505.tif 000003
【図２】
2014079505.tif 000004
【図３】
2014079505.tif 000005
【図４】
2014079505.tif 000006
【図５】
2014079505.tif 000007
【図６】
2014079505.tif 000008
【図７】
2014079505.tif 000009
【図８】
2014079505.tif 000010
【図９】
2014079505.tif 000011
【図１０】
2014079505.tif 000012
【図１１】
2014079505.tif 000013
【図１２】
2014079505.tif 000014
【図１３】
2014079505.tif 000015